(57)【要約】【課題】タクシーチケットサービスの実現に掛かるコストの削減、不正使用の防止、タクシーチケットの紛失や破損による不都合の防止を図る。【解決手段】チケットセンタ５は、タクシーチケットを利用するための手続に使用される情報を通信回線を介して通知及び取得するためのウェブを開設し、該ウェブを介してタクシーチケットの利用申請を受け取って当該タクシーチケットに専用の利用許可情報をウェブを介して通知し、当該タクシーチケットの利用許可を登録し、利用許可情報により特定されるタクシーチケットの決済依頼に応じて、当該タクシーチケットの正当性を検証し、タクシーチケットの決済の可否を判断して決済結果を通信回線を介して決済依頼元のタクシーチケット決済端末へ送信し、使用済みのタクシーチケットを無効化する。【選択図】    図１
2004341918.tif 000002
【特許請求の範囲】
【請求項１】
タクシーチケットを管理する管理装置であって、
タクシーチケットを利用するための手続に使用される情報を通信回線を介して通知及び取得するためのウェブを開設するウェブ開設手段と、
前記ウェブを介して受け取ったタクシーチケットの利用申請に応じて、当該タクシーチケットに専用の利用許可情報を前記ウェブを介して通知し、当該タクシーチケットの利用許可を登録する利用登録手段と、
前記利用許可情報により特定されるタクシーチケットの決済依頼に応じて、当該タクシーチケットの決済結果を通信回線を介して決済依頼元のタクシーチケット決済端末へ送信するとともに、当該タクシーチケットが使用済みであることを示す無効情報を生成する決済管理手段と、
前記利用許可情報及び前記無効情報を含むチケット管理情報を記憶する管理情報記憶手段とを備え、
前記決済管理手段は、少なくとも前記チケット管理情報に基づいてタクシーチケットの正当性を検証し、この検証結果からタクシーチケットの決済の可否を判断することを特徴とするタクシーチケットの管理装置。
【請求項２】
前記利用登録手段は、前記利用申請の都度、当該タクシーチケットに係る手続に専用の前記ウェブへのアクセス鍵を発行することを特徴とする請求項１に記載のタクシーチケットの管理装置。
【請求項３】
前記利用登録手段は、前記利用申請に基づいて当該タクシーチケットの有効期限を設定することを特徴とする請求項１または請求項２に記載のタクシーチケットの管理装置。
【請求項４】
前記利用登録手段は、利用されるタクシー車両の車両識別情報を前記ウェブを介して受け取って前記管理情報記憶手段に記憶させ、
前記決済管理手段は、前記決済依頼元のタクシーチケット決済端末からタクシー車両の車両識別情報を受け取って前記管理情報記憶手段に記憶されている車両識別情報と照合し、一致したときに該当するタクシーチケットの決済を許可することを特徴とする請求項１乃至請求項３のいずれかの項に記載のタクシーチケットの管理装置。
【請求項５】
使用済みのタクシーチケットの決済金額を記憶する決済金額記憶手段を備え、
前記決済管理手段は、前記決済依頼元のタクシーチケット決済端末から決済金額を受け取って、利用されたタクシー車両の車両識別情報に対応付けて前記決済金額記憶手段に記憶させる
ことを特徴とする請求項１乃至請求項４のいずれかの項に記載のタクシーチケットの管理装置。
【請求項６】
タクシー車両に具備され、タクシーチケットによる決済を管理する管理装置に無線通信回線を介して接続し、タクシーチケットによる決済を行うタクシーチケット決済端末であって、
前記タクシーチケットに個別の利用許可情報を入力する入力手段と、
入力された利用許可情報を前記管理装置へ送信して当該タクシーチケットの決済を依頼する制御手段と、
前記管理装置から受け取った決済結果を出力する出力手段と、
を備えたことを特徴とするタクシーチケット決済端末。
【請求項７】
前記タクシー車両の車両識別情報を設定する設定手段を備え、
前記制御手段は、設定されている車両識別情報を前記決済依頼時に前記管理装置へ送信することを特徴とする請求項６に記載のタクシーチケット決済端末。
【請求項８】
前記タクシー車両のタクシーメータから運賃情報を受信する受信手段を備え、
前記制御手段は、受信された運賃情報に基づく決済金額を前記決済依頼時に前記管理装置へ通知することを特徴とする請求項６または請求項７に記載のタクシーチケット決済端末。
【請求項９】
タクシーチケットを管理する管理装置におけるタクシーチケットの管理方法であって、
タクシーチケットを利用するための手続に使用される情報を通信回線を介して通知及び取得するためのウェブを開設する過程と、
前記ウェブを介してタクシーチケットの利用申請を受け取る過程と、
前記タクシーチケットの利用申請に応じて、当該タクシーチケットに専用の利用許可情報を前記ウェブを介して通知し、当該タクシーチケットの利用許可を登録する過程と、
前記利用許可情報により特定されるタクシーチケットの決済依頼に応じて、当該タクシーチケットの正当性を検証する過程と、
前記正当性の検証結果からタクシーチケットの決済の可否を判断し、この決済結果を通信回線を介して決済依頼元のタクシーチケット決済端末へ送信する過程と、
使用済みのタクシーチケットを無効化する過程と、
を含むことを特徴とするタクシーチケットの管理方法。
【請求項１０】
タクシーチケットの管理を行うためのコンピュータプログラムであって、
タクシーチケットを利用するための手続に使用される情報を通信回線を介して通知及び取得するためのウェブを開設する機能と、
前記ウェブを介してタクシーチケットの利用申請を受け取る機能と、
前記タクシーチケットの利用申請に応じて、当該タクシーチケットに専用の利用許可情報を前記ウェブを介して通知し、当該タクシーチケットの利用許可を登録する機能と、
前記利用許可情報により特定されるタクシーチケットの決済依頼に応じて、当該タクシーチケットの正当性を検証する機能と、
前記正当性の検証結果からタクシーチケットの決済の可否を判断し、この決済結果を通信回線を介して決済依頼元のタクシーチケット決済端末へ送信する機能と、
使用済みのタクシーチケットを無効化する機能と、
をコンピュータに実現させることを特徴とするコンピュータプログラム。
【発明の詳細な説明】
【０００１】
【発明の属する技術分野】
本発明は、タクシーチケットの決済システムに係り、特に、タクシーチケットを管理する管理装置及び管理方法、並びにその管理装置をコンピュータを利用して実現するためのコンピュータプログラム、タクシーチケット決済端末に関する。
【０００２】
【従来の技術】
従来より、タクシーチケットがタクシー利用時の代金の支払いに利用されている。そして、タクシーチケットによる決済が可能なタクシーチケット決済システムが知られている（例えば、特許文献１参照）。従来のタクシーチケット決済システムでは、タクシー利用時に使用されるカード（ＩＣカード等）を予め発行する。このカードには利用料金支払者識別コードが記録される。そして、タクシーが利用された際、タクシーに搭載された無線端末が該カードから利用料金支払者識別コードを読み取って決済コンピュータシステムへ送信するとともに、当該カードに使用済フラグを書き込んで再使用できないようにしている。
【０００３】
【特許文献１】
特開２００２−１５０３３１号公報（第４−５頁、第１図）
【０００４】
【発明が解決しようとする課題】
しかし、上述した従来のタクシーチケット決済システムにおけるタクシーチケットの管理方法では、ＩＣカード等のカードをタクシーチケットとして発行するので、コストが掛かるという問題がある。また、該カードに使用済みフラグを書き込むことによって再使用できないようにしているが、該カードが偽造される可能性を全く排除することはできず、不正使用される虞がある。また、発行されたカードが紛失したり、あるいは破損すると、使用できなくなるという問題もある。
【０００５】
本発明は、このような事情を考慮してなされたもので、その目的は、タクシーチケットサービスの実現に掛かるコストの削減、不正使用の防止、タクシーチケットの紛失や破損による不都合の防止に寄与することができるタクシーチケットの管理装置、タクシーチケットの管理方法を提供することにある。
【０００６】
また、本発明の他の目的は、本発明のタクシーチケットの管理装置に適用できるタクシーチケット決済端末を提供することにある。
【０００７】
また、本発明の他の目的は、本発明のタクシーチケットの管理装置をコンピュータを利用して実現するためのコンピュータプログラムを提供することにある。
【０００８】
【課題を解決するための手段】
上記の課題を解決するために、本発明のタクシーチケットの管理装置は、タクシーチケットを管理する管理装置であって、タクシーチケットを利用するための手続に使用される情報を通信回線を介して通知及び取得するためのウェブを開設するウェブ開設手段と、前記ウェブを介して受け取ったタクシーチケットの利用申請に応じて、当該タクシーチケットに専用の利用許可情報を前記ウェブを介して通知し、当該タクシーチケットの利用許可を登録する利用登録手段と、前記利用許可情報により特定されるタクシーチケットの決済依頼に応じて、当該タクシーチケットの決済結果を通信回線を介して決済依頼元のタクシーチケット決済端末へ送信するとともに、当該タクシーチケットが使用済みであることを示す無効情報を生成する決済管理手段と、前記利用許可情報及び前記無効情報を含むチケット管理情報を記憶する管理情報記憶手段とを備え、前記決済管理手段は、少なくとも前記チケット管理情報に基づいてタクシーチケットの正当性を検証し、この検証結果からタクシーチケットの決済の可否を判断することを特徴としている。
【０００９】
また、本発明のタクシーチケットの管理装置においては、前記利用登録手段は、前記利用申請の都度、当該タクシーチケットに係る手続に専用の前記ウェブへのアクセス鍵を発行することを特徴とする。
【００１０】
また、本発明のタクシーチケットの管理装置においては、前記利用登録手段は、前記利用申請に基づいて当該タクシーチケットの有効期限を設定することを特徴とする。
【００１１】
また、本発明のタクシーチケットの管理装置においては、前記利用登録手段は、利用されるタクシー車両の車両識別情報を前記ウェブを介して受け取って前記管理情報記憶手段に記憶させ、前記決済管理手段は、前記決済依頼元のタクシーチケット決済端末からタクシー車両の車両識別情報を受け取って前記管理情報記憶手段に記憶されている車両識別情報と照合し、一致したときに該当するタクシーチケットの決済を許可することを特徴とする。
【００１２】
また、本発明のタクシーチケットの管理装置においては、使用済みのタクシーチケットの決済金額を記憶する決済金額記憶手段を備え、前記決済管理手段は、前記決済依頼元のタクシーチケット決済端末から決済金額を受け取って、利用されたタクシー車両の車両識別情報に対応付けて前記決済金額記憶手段に記憶させることを特徴とする。
【００１３】
本発明のタクシーチケット決済端末は、タクシー車両に具備され、タクシーチケットによる決済を管理する管理装置に無線通信回線を介して接続し、タクシーチケットによる決済を行うタクシーチケット決済端末であって、前記タクシーチケットに個別の利用許可情報を入力する入力手段と、入力された利用許可情報を前記管理装置へ送信して当該タクシーチケットの決済を依頼する制御手段と、前記管理装置から受け取った決済結果を出力する出力手段とを備えたことを特徴としている。
【００１４】
また、本発明のタクシーチケット決済端末においては、前記タクシー車両の車両識別情報を設定する設定手段を備え、前記制御手段は、設定されている車両識別情報を前記決済依頼時に前記管理装置へ送信することを特徴とする。
【００１５】
また、本発明のタクシーチケット決済端末においては、前記タクシー車両のタクシーメータから運賃情報を受信する受信手段を備え、前記制御手段は、受信された運賃情報に基づく決済金額を前記決済依頼時に前記管理装置へ通知することを特徴とする。
【００１６】
本発明のタクシーチケットの管理方法は、タクシーチケットを管理する管理装置におけるタクシーチケットの管理方法であって、タクシーチケットを利用するための手続に使用される情報を通信回線を介して通知及び取得するためのウェブを開設する過程と、前記ウェブを介してタクシーチケットの利用申請を受け取る過程と、前記タクシーチケットの利用申請に応じて、当該タクシーチケットに専用の利用許可情報を前記ウェブを介して通知し、当該タクシーチケットの利用許可を登録する過程と、前記利用許可情報により特定されるタクシーチケットの決済依頼に応じて、当該タクシーチケットの正当性を検証する過程と、前記正当性の検証結果からタクシーチケットの決済の可否を判断し、この決済結果を通信回線を介して決済依頼元のタクシーチケット決済端末へ送信する過程と、使用済みのタクシーチケットを無効化する過程とを含むことを特徴としている。
【００１７】
本発明のコンピュータプログラムは、タクシーチケットの管理を行うためのコンピュータプログラムであって、タクシーチケットを利用するための手続に使用される情報を通信回線を介して通知及び取得するためのウェブを開設する機能と、前記ウェブを介してタクシーチケットの利用申請を受け取る機能と、前記タクシーチケットの利用申請に応じて、当該タクシーチケットに専用の利用許可情報を前記ウェブを介して通知し、当該タクシーチケットの利用許可を登録する機能と、前記利用許可情報により特定されるタクシーチケットの決済依頼に応じて、当該タクシーチケットの正当性を検証する機能と、前記正当性の検証結果からタクシーチケットの決済の可否を判断し、この決済結果を通信回線を介して決済依頼元のタクシーチケット決済端末へ送信する機能と、使用済みのタクシーチケットを無効化する機能とをコンピュータに実現させることを特徴としている。
これにより、前述のタクシーチケットの管理装置がコンピュータを利用して実現できるようになる。
【００１８】
【発明の実施の形態】
以下、図面を参照し、本発明の一実施形態を説明する。
図１は、本発明の一実施形態によるタクシーチケット決済システムの全体構成を示すブロック図である。図１において、タクシー車両１にはタクシーチケット決済端末２が具備されている。タクシーチケット決済端末２は、無線通信機能を有しており、無線通信回線を介してチケットセンタ５に接続し、データ通信することができる。図１の例では、タクシーチケット決済端末２は、パケット通信が可能な携帯電話網４を経由してチケットセンタ５に接続する。携帯電話網４を利用することにより、サービス範囲が広がるとともに安価に実現できる。なお、タクシーチケット決済端末２が専用の無線パケット通信網を経由してチケットセンタ５に接続するようにしてもよい。
【００１９】
携帯端末３は携帯電話網４に接続可能である。また、携帯端末３は、ウェブ（ＷＥＢ）ブラウザ機能を有している。携帯端末３は、このＷＥＢブラウザ機能によりＷＥＢサーバへアクセスして、ＷＥＢの画面を自己の表示画面上に表示したり、あるいは該ＷＥＢを介してデータの授受を行うことができる。携帯端末３としては、携帯電話機や、ＰＤＡ（Ｐｅｒｓｏｎａｌ  Ｄｉｇｉｔａｌ  Ａｓｓｉｓｔａｎｔｓ：個人用情報機器）と称される携帯型の端末などが利用可能である。
【００２０】
チケットセンタ５は、タクシーチケットの登録、利用許可、決済などを管理する機能を有する。また、チケットセンタ５は、タクシーチケットサービス用のＷＥＢを開設するＷＥＢサーバ機能を有する。携帯端末３は、該ＷＥＢにアクセスして、タクシーチケットサービス用の画面を表示したり、データの入力、ダウンロードなどを行うことができる。タクシーチケットの利用者は、携帯端末３により該ＷＥＢへアクセスして、タクシーチケットを利用するための手続を行うことができる。
【００２１】
図２は、上記したタクシーチケット決済端末２の構成を示すブロック図である。図３は、タクシーチケット決済端末２の外観図である。図２において、タクシーチケット決済端末２は、無線部２１と制御部２２と記憶部２３と操作部２４と表示部２５とタクシーメータインタフェース２６とプリンタインタフェース２７とを備えている。
【００２２】
無線部２１は、無線によるデータ通信機能を有する。無線部２１は、携帯電話網４に接続し、該携帯電話網４を介してチケットセンタ５との間でデータを送受信する。
【００２３】
制御部２２は、タクシーチケットによる決済を行うための制御を行う。また、制御部２２はタクシーチケット決済端末２の各部を制御する。
記憶部２３は各種のデータを記憶する。記憶部２３は制御部２２からアクセスされる。
【００２４】
操作部２４は、図３に示される入力用のテンキー、各種ファンクションキー（Ｆ１〜Ｆ３キー等）などを有する。操作部２４は、入力されたデータを制御部２２へ出力する。
表示部２５は、図３に示される表示パネル２５ａ、例えば液晶表示パネルと、表示制御回路とから構成される。表示部２５には、制御部２２から表示データが入力される。
【００２５】
タクシーメータインタフェース２６は、タクシーメータから出力される運賃データ等を受信するためのインタフェース機能を有する。タクシーメータインタフェース２６は、タクシー車両１のタクシーメータに接続される。タクシーメータインタフェース２６は、タクシーメータから受信した運賃データ等を制御部２２へ出力する。
プリンタインタフェース２７は、プリンタへ印字データを出力するためのインタフェース機能を有する。プリンタインタフェース２７には、制御部２２から、タクシーチケットによる決済の処理結果等の印字データが入力される。
【００２６】
上記した記憶部２３には、タクシーチケット決済端末２が具備されているタクシー車両１の車両番号が保存される。この車両番号は、操作部２４により設定可能である。上記車両番号は各タクシー車両１に対して個別に付与されている。そして、車両番号によってタクシー車両１の識別が可能である。
【００２７】
なお、上記した制御部２２は専用のハードウェアにより実現されるものであってもよく、また、制御部２２はメモリおよびＣＰＵ（中央処理装置）により構成され、制御部２２の機能を実現するためのプログラムを実行することによりその機能を実現させるものであってもよい。
【００２８】
図４は、上記したチケットセンタ５の構成を示すブロック図である。図４において、チケットセンタ５は、通信部５１とＷＥＢ部５２と利用登録部５３と決済管理部５４とデータベース５５とを備えている。
【００２９】
通信部５１は、有線によるデータ通信機能を有する。通信部５１は、携帯電話網４の中継局に有線で接続し、該携帯電話網４を介してタクシーチケット決済端末２との間でデータを送受信する。また、通信部５１は、携帯電話網４を介して携帯端末３との間でデータを送受信する。
【００３０】
ＷＥＢ部５２は、タクシーチケットサービス用のＷＥＢ（以下、チケットＷＥＢと称する）を開設する。ＷＥＢ部５２は、通信部５１を介して該チケットＷＥＢをネットワーク上に公開する。このチケットＷＥＢを介して、タクシーチケットを利用するための手続に使用される情報の通知及び取得が行われる。
【００３１】
利用登録部５３は、チケットＷＥＢを介してタクシーチケットの利用申請を受け取る。そして、利用登録部５３は、該タクシーチケットの利用申請に応じて、当該タクシーチケットに専用の利用許可情報を生成し、生成した利用許可情報をチケットＷＥＢを介して通知する。さらに、当該タクシーチケットの利用許可を登録する。
【００３２】
決済管理部５４は、タクシーチケットによる決済を管理する。決済管理部５４は、通信部５１を介してタクシーチケット決済端末２からの決済依頼を受け取る。そして、決済管理部５４は、該決済依頼により、当該タクシーチケットの正当性を検証する。そして、この検証結果からタクシーチケットの決済の可否を判断して決済結果を返答する。また、決済管理部５４は、使用済みのタクシーチケットを無効化する。
【００３３】
データベース５５は、タクシーチケットの管理に必要な情報を記憶している。例えば、タクシーチケットの登録情報、利用許可情報、使用状況などである。図５は、データベース５５に記憶される管理情報ファイル１０１の構成例を示す図である。管理情報ファイル１０１には、タクシーチケットの管理に使用されるチケット管理情報が記録される。図５の例では、タクシーチケットの登録情報としてチケット番号が記録される。チケット番号は、登録されたタクシーチケットを特定する情報である。そして、このチケット番号に対応付けて、当該タクシーチケットの使用状況、利用許可情報としての管理番号、有効期限、及びパスワード、並びに利用されるタクシー車両１の車両番号が記録される。使用状況には、未使用（利用未許可）、使用中（利用許可済）、使用済（無効）がある。管理情報ファイル１０１には、予めチケット番号が登録されるが、この登録時には使用状況の初期値として「未使用」が設定される。
【００３４】
上記パスワードは、タクシーチケットの利用申請後に、再度、同じタクシーチケットに係る手続のためにチケットＷＥＢへアクセスする際に必要なアクセス鍵である。このパスワードは、特定のタクシーチケットに係る手続に専用のものであり、利用申請の都度に発行されるワンタイムパスワードである。なお、図５に示す管理番号、有効期限、パスワード等は便宜上のものである。
【００３５】
管理情報ファイル１０１の記録内容のうち、チケット番号、使用状況、管理番号、有効期限、及びパスワードは、チケットＷＥＢ上に掲載される。
【００３６】
また、データベース５５は、使用済みタクシーチケットの決済金額を記憶している。図６は、データベース５５に記憶される決済金額ファイル１０２の構成例を示す図である。決済金額ファイル１０２には、使用済みタクシーチケットの決済金額の管理に使用される決済金額管理情報が記録される。図６の例では、チケット番号に対応付けて、利用されたタクシー車両１の車両番号、決済金額、及び決済日時が記録される。なお、図６に示す決済金額、決済日時等は便宜上のものである。
データベース５５は、上記したＷＥＢ部５２、利用登録部５３、及び決済管理部５４からアクセスされる。
【００３７】
なお、上記したＷＥＢ部５２、利用登録部５３、及び決済管理部５４は専用のハードウェアにより実現されるものであってもよく、また、それら各部５２〜５４はメモリおよびＣＰＵ（中央処理装置）により構成され、各部５２〜５４の機能を実現するためのプログラムを実行することによりその機能を実現させるものであってもよい。
【００３８】
また、データベース５５は、チケットセンタ５内に具備されるものであっても、図示しない他の装置（データベースサーバ）内にあり、チケットセンタ５は、通信によりデータベース５５にアクセスするものであってもよい。
【００３９】
また、チケットセンタ５には、周辺機器として入力装置、表示装置等（いずれも図示せず）が接続されるものとする。ここで、入力装置とはキーボード、マウス等の入力デバイスのことをいう。表示装置とはＣＲＴ（Ｃａｔｈｏｄｅ  Ｒａｙ  Ｔｕｂｅ）や液晶表示装置等のことをいう。
また、上記周辺機器については、チケットセンタ５に直接接続するものであってもよく、あるいは通信回線を介して接続するようにしてもよい。
【００４０】
次に、図７、図８を参照して、上記した図１のタクシーチケット決済システムの動作を説明する。図７、図８は、図１のタクシーチケット決済システムにおけるタクシーチケットの管理処理の流れを示すシーケンスチャートである。
初めに、図７を参照して、利用者がタクシーチケットの利用申請を行う際の動作を説明する。
図７において、タクシーチケットの利用者は、タクシーを利用する際に、携帯端末３を使用してチケットＷＥＢへアクセスし、ＷＥＢを要求する（ステップＳ１）。次いで、チケットセンタ５のＷＥＢ部５２は、該ＷＥＢ要求に応じてＷＥＢを提供する（ステップＳ２）。この応答により、携帯端末３は、チケットＷＥＢの画面を表示する（ステップＳ３）。
【００４１】
次いで、利用者は、タクシーに乗車後、当該タクシー車両１の車両番号を乗務員に聞く等して取得する。そして、その車両番号をチケットＷＥＢの画面表示に従って携帯端末３により入力する（ステップＳ４）。次いで、利用者は、チケットＷＥＢの画面表示に従ってタクシーチケットの利用申請を行う（ステップＳ５）。この利用申請とともに、入力済みの車両番号がＷＥＢ部５２へ通知される。
【００４２】
チケットセンタ５の利用登録部５３は、その利用申請及び車両番号をＷＥＢ部５２を介して受け取ると、利用申請されたタクシーチケットの有効期限を管理情報ファイル１０１に設定する（ステップＳ６）。この設定方法としては、一律に所定の有効期間（例えば２時間）を与えてもよく、あるいは、利用者からの申請に応じて有効期限を決定するようにしてもよい。
【００４３】
次いで、利用登録部５３は、当該タクシーチケットの管理番号（利用許可情報）を乱数発生により生成する。そして、生成した管理番号を管理情報ファイル１０１に設定する（ステップＳ７）。
【００４４】
次いで、利用登録部５３は、当該タクシーチケットに係る手続に専用のパスワードを発行する。そして、発行したパスワードを管理情報ファイル１０１に設定する（ステップＳ８）。
【００４５】
次いで、利用登録部５３は、管理情報ファイル１０１の該当する使用状況を使用中（利用許可済）に設定する（ステップＳ９）。次いで、ＷＥＢ部５２は、管理情報ファイル１０１の更新内容（管理番号、有効期限、及びパスワード）をチケットＷＥＢ上に掲載し、ＷＥＢを更新する（ステップＳ１０）。このＷＥＢ更新により、携帯端末３は、該更新内容を表示しているチケットＷＥＢの画面内容に反映する（ステップＳ１１）。これにより、利用者は、管理番号、有効期限、及びパスワードを認識する。
【００４６】
また、チケットセンタ５の利用登録部５３は、当該利用申請とともに受け取った車両番号を管理情報ファイル１０１に記録する（ステップＳ１２）。
これにより、利用申請されたタクシーチケットの利用許可及び利用許可の登録が完了する。
【００４７】
次に、図８を参照して、チケットセンタ５による利用許可済みのタクシーチケットの決済動作を説明する。
先ず、タクシーチケットの利用者は、タクシーの利用代金を支払う際に、チケットＷＥＢの画面内容から認識した管理番号を乗務員に通知する。
図８において、乗務員は、利用者から通知された管理番号をタクシーチケット決済端末２に入力する（ステップＳ２１）。また、タクシーチケット決済端末２は、タクシーメータから運賃情報を受信する（ステップＳ２２）。これにより、タクシーチケット決済端末２の制御部２２は、図３に示されるように、管理番号と運賃を表示部２５に表示させる。なお、乗務員は、有料道路の通行料などの料金を操作部２４で入力して運賃に加算することができる。
【００４８】
次いで、乗務員は、該表示により利用者から運賃の承諾を取ると、操作部２４の送信キーを押下する。制御部２２は、この送信キーの押下により、入力された管理番号、記憶部２３に保存されている車両番号、及び運賃からなる決済金額をチケットセンタ５へ送信し、決済依頼を行う（ステップＳ２３）。
【００４９】
次いで、チケットセンタ５の決済管理部５４は、該決済依頼を受け取ると、先ず、管理情報ファイル１０１のチケット管理情報に基づいて当該タクシーチケットの正当性を検証する。この正当性検証において、決済管理部５４は、受信した管理番号が管理情報ファイル１０１に登録されており、且つ該当する使用状況が使用中である場合に、当該タクシーチケットが有効であると判断する（ステップＳ２４）。さらに、受信した車両番号と、管理情報ファイル１０１に登録されている該当車両番号とを照合する（ステップＳ２５）。この照合の結果、一致した場合（ステップＳ２６の判断結果がＹＥＳの場合）に、決済管理部５４は、当該タクシーチケットが正当なものであると判断して、当該タクシーチケットの決済を許可する（ステップＳ２７）。ここで、決済管理部５４は、決済を許可したタクシーチケットのチケット番号、利用されたタクシー車両１の車両番号、決済金額、及び決済日時を決済金額ファイル１０２に登録する。
【００５０】
一方、上記したステップＳ２４の判断の結果、当該タクシーチケットが有効ではない（無効である）と判断されるか、又は、車両番号が不一致であった場合（ステップＳ２６の判断結果がＮＯの場合）には、決済管理部５４は、当該タクシーチケットが正当なものではないと判断して、当該タクシーチケットの決済を許可しない（ステップＳ２８）。
【００５１】
次いで、決済管理部５４は、タクシーチケットの決済結果を決済依頼元のタクシーチケット決済端末２へ送信する（ステップＳ２９）。次いで、決済管理部５４は、管理情報ファイル１０１の該当する使用状況を使用済（無効情報）に設定し、当該タクシーチケットを無効化する（ステップＳ３０）。決済依頼元のタクシーチケット決済端末２は、受信した決済結果を表示又は印字により出力する（ステップＳ３１）。
【００５２】
上述したように本実施形態によれば、タクシーチケットサービスを実現する上で、紙片、ＩＣカード、磁気カードその他の記録媒体をタクシーチケットとして発行する必要がない。これにより、タクシーチケットサービスの実現に掛かるコストを削減することができる。さらに、タクシーチケットとしての記録媒体が紛失あるいは破損したことにより使用不能となる問題も解消される。
【００５３】
また、チケットセンタ５において、タクシーチケットの利用許可情報及び無効情報を含むチケット管理情報を記録及び管理し、該チケット管理情報に基づいてタクシーチケットの正当性が検証されるので、タクシーチケットの不正使用を防ぐことができる。
【００５４】
さらに、タクシーチケットの利用者側が通知する車両番号が、実際に利用されるタクシー車両１のものと同一であることが実時間で検証されるので、利用されるタクシー車両１を唯一つに特定することができる。
【００５５】
また、使用済みのタクシーチケットの決済金額が管理及び記録されるので、チケット利用状況の集計作業の能率向上に寄与することができる。また、車両番号毎に決済金額が記録されるので、タクシー車両毎の売上管理に利用することができ、タクシー会社の売上管理業務の能率向上に寄与することができる。
【００５６】
なお、タクシーチケットを利用する者、例えば法人毎に、上記したチケット番号を体系的に付与すれば、タクシーチケットの利用者毎にその利用状況を管理することができる。
【００５７】
また、図４に示すチケットセンタ５が行う各機能を実現するためのプログラムをコンピュータ読み取り可能な記録媒体に記録して、この記録媒体に記録されたプログラムをコンピュータシステムに読み込ませ、実行することによりタクシーチケットを管理する処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５９】
以上、本発明の実施形態を図面を参照して詳述してきたが、具体的な構成はこの実施形態に限られるものではなく、本発明の要旨を逸脱しない範囲の設計変更等も含まれる。
【００６０】
【発明の効果】
以上説明したように、本発明によれば、タクシーチケットサービスを実現する上で、紙片、ＩＣカード、磁気カードその他の記録媒体をタクシーチケットとして発行する必要がないので、タクシーチケットサービスの実現に掛かるコストを削減することができる。さらに、タクシーチケットとしての記録媒体が紛失あるいは破損したことにより使用不能となる問題も解消される。
【００６１】
また、タクシーチケットの利用許可情報及び無効情報を含むチケット管理情報を記録及び管理し、該チケット管理情報に基づいてタクシーチケットの正当性が検証されるので、タクシーチケットの不正使用を防ぐことができる。
【図面の簡単な説明】
【図１】本発明の一実施形態によるタクシーチケット決済システムの全体構成を示すブロック図である。
【図２】図１に示すタクシーチケット決済端末２の構成を示すブロック図である。
【図３】図１に示すタクシーチケット決済端末２の外観図である。
【図４】図１に示すチケットセンタ５の構成を示すブロック図である。
【図５】図４に示すデータベース５５に記憶される管理情報ファイル１０１の構成例を示す図である。
【図６】図４に示すデータベース５５に記憶される決済金額ファイル１０２の構成例を示す図である。
【図７】図１に示すタクシーチケット決済システムにおけるタクシーチケットの管理処理の流れを示す第１のシーケンスチャートである。
【図８】図１に示すタクシーチケット決済システムにおけるタクシーチケットの管理処理の流れを示す第２のシーケンスチャートである。
【符号の説明】
１…タクシー車両、２…タクシーチケット決済端末、３…携帯端末、４…携帯電話網、５…チケットセンタ、２１…無線部、２２…制御部、２３…記憶部、２４…操作部、２５…表示部、２５ａ…表示パネル、２６…タクシーメータインタフェース、２７…プリンタインタフェース、５１…通信部、５２…ＷＥＢ部、５３…利用登録部、５４…決済管理部、５５…データベース
【図１】
2004341918.tif 000003
【図２】
2004341918.tif 000004
【図３】
2004341918.tif 000005
【図４】
2004341918.tif 000006
【図５】
2004341918.tif 000007
【図６】
2004341918.tif 000008
【図７】
2004341918.tif 000009
【図８】
2004341918.tif 000010